(57)【要約】【課題】建物の周辺側に大きくはみ出ることなく雨水処理が行える建物の雨水処理構造を提供する。【解決手段】この建物の雨水処理構造は、建物１の下部構造部１１と、上記下部構造部１１と建物１の周辺側の地盤２との間に形成された空間部３と、上記建物１の周辺側の地盤２に設けられた排水部２１と、上記建物１に設けられた竪樋１４と、上記竪樋１４の横排水管１４ａからの雨水を上記排水部２１に導く導水部を有し、上記空間部３の上端側を塞ぐ塞ぎ蓋４と、を備えている。【選択図】図１
2019167694.tif 000002
【特許請求の範囲】
【請求項１】
建物の下部構造部と、上記下部構造部と建物の周辺側の地盤との間に形成された空間部と、上記建物の周辺側の地盤に設けられた排水部と、上記建物に設けられた竪樋と、上記竪樋から雨水を受け取る水受け部および上記雨水を上記排水部に導く導水部を有し上記空間部の上端側を塞ぐ塞ぎ構造部と、を備えたことを特徴とする建物の雨水処理構造。
【請求項２】
請求項１に記載の建物の雨水処理構造において、上記塞ぎ構造部が２０ｔ以上の荷重に耐えることを特徴とする建物の雨水処理構造。
【請求項３】
請求項１または請求項２に記載の建物の雨水処理構造において、上記竪樋は、上記建物の外周側の１本の柱に複数本設けられており、上記竪樋が配置される柱と柱の間には上記竪樋が配置されない柱が存在することを特徴とする建物の雨水処理構造。
【請求項４】
請求項１〜請求項３のいずれか１項に記載の建物の雨水処理構造において、上記建物の下部構造部には、免振装置が設けられているとともに、上記塞ぎ構造部は上記建物の揺れとともに移動できる塞ぎ蓋からなり、上記竪樋は上記塞ぎ蓋に固定されずに設けられていることを特徴とする建物の雨水処理構造。
【請求項５】
建物の下部構造部と建物の周辺側の地盤との間に形成された空間部の上端側を塞ぐ塞ぎ蓋であって、上記建物の下部構造部側となる一端側に設けられた水受け部と、上記水受け部で受け取った水を上記建物の周辺側の地盤側となる他端側に導く導水部と、上記他端側の下面に設けられた排水開口と、を備えることを特徴とする塞ぎ蓋。
【請求項６】
請求項５に記載の塞ぎ蓋において、本体部に上記水受け部と上記導水部と上記排水開口とが形成されており、上記本体部上に置かれた網目状上面板を通して上記水受け部で水を受け取ることを特徴とする塞ぎ蓋。
【請求項７】
請求項６に記載の塞ぎ蓋において、上記導水部の側方には上下方向に貫通する中空部が形成されており、この中空部の上端部に板面材が置かれることを特徴とする塞ぎ蓋。
【請求項８】
請求項５〜請求項７のいずれか１項に記載の塞ぎ蓋において、上記水受け部は、上記導水部側へ下り傾斜する傾斜面部を有することを特徴とする塞ぎ蓋。
【発明の詳細な説明】
【技術分野】
【０００１】
この発明は、雨水を処理する建物の雨水処理構造および塞ぎ蓋に関する。
【背景技術】
【０００２】
特許文献１には、免震構造体と周辺地盤との間に形成されたクリアランスを塞ぐように設けられたカバーと、上記クリアランス内に配置され、上記カバー及び上記免震構造体の一方に取り付けられた接続部材を備えた建物構造が開示されている。
【０００３】
そして、図６に示す従来構造では、コンクリート製のカバー１００が、免震構造体１０２と周辺地盤１０３との間に形成されたクリアランス１０４を塞ぐように設けられている。このような構造では、建物の外周の竪樋１０１から受け取った雨水を周辺地盤１０３側に流すように処理するべく、横排水管１０５を上記クリアランス１０４を跨ぐように配置している。
【先行技術文献】
【特許文献】
【０００４】
【特許文献１】特許第６１２７０２９号
【発明の概要】
【発明が解決しようとする課題】
【０００５】
しかしながら、上記従来の構造では、上記横排水管１０５は上記クリアランス１０４の幅を越えて建物の周辺側に大きくはみ出し、さらに、上記横排水管１０５を保護するガードパイプ１０６も、建物の周辺側に大きくはみ出して設けられる。このように大きくはみ出る上記横排水管１０５や上記ガードパイプ１０６が存在する箇所はデッドスペースとなるため、建物周囲の敷地の有効利用が十分に行えないという欠点があった。
【０００６】
この発明は、上記の事情に鑑み、建物の周辺側に大きくはみ出ることなく雨水処理が行える建物の雨水処理構造および塞ぎ蓋を提供する。
【課題を解決するための手段】
【０００７】
この発明の建物の雨水処理構造は、上記の課題を解決するために、建物の下部構造部と、上記下部構造部と建物の周辺側の地盤との間に形成された空間部と、上記建物の周辺側の地盤に設けられた排水部と、上記建物に設けられた竪樋と、上記竪樋から雨水を受け取る水受け部および上記雨水を上記排水部に導く導水部を有し上記空間部の上端側を塞ぐ塞ぎ構造部と、を備えたことを特徴とする。
【０００８】
上記の構造であれば、上記空間部の上端側を塞ぐ塞ぎ構造部によって上記竪樋から受け取った雨水を上記排水部に導くことができる。このため、雨水を上記竪樋の下から横方向に出す横排水管を設けるとしても、上記空間部を越えてはみ出る必要がなくなり、この横排水管の長さを短くできる。したがって、上記横排水管やこれを保護するガードパイプの建物周辺側へのはみ出し幅を低減でき、デッドスペースを少なくし、車両等の走行の阻害の程度も小さくできる。
【０００９】
上記塞ぎ構造部が２０ｔ（トン）以上の荷重に耐えるように構成されていてもよい。これによれば、トラック等の重量のある車両でも上記塞ぎ構造部上を通ることができる。
【００１０】
上記竪樋は、上記建物の外周側の１本の柱に複数本設けられており、上記竪樋が配置される柱と柱の間には上記竪樋が配置されない柱が存在するようにしてもよい。これによれば、上記竪樋が配置されない柱を利用して、例えば、消火栓設備を配置すること等が可能になる。
【００１１】
上記建物の下部構造部には、免振装置が設けられているとともに、上記塞ぎ構造部は上記建物の揺れとともに移動できる塞ぎ蓋からなり、上記竪樋は上記塞ぎ蓋に固定されずに設けられていてもよい。
【００１２】
また、この発明の塞ぎ蓋は、建物の下部構造部と建物の周辺側の地盤との間に形成された空間部の上端側を塞ぐ塞ぎ蓋であって、上記建物の下部構造部側となる一端側に設けられた水受け部と、上記水受け部で受け取った水を上記建物の周辺側の地盤側となる他端側に導く導水部と、上記他端側の下面に設けられた排水開口と、を備えることを特徴とする。
【００１３】
本体部に上記水受け部と上記導水部と上記排水開口とが形成されており、上記本体部上に置かれた網目状上面板を通して上記水受け部で水を受け取ることとしてもよい。これによれば、上記本体部と上記網目状上面板を別体物とし、例えば、上記網目状上面板として市販物を用いることができる。
【００１４】
上記導水部の側方に上下方向に貫通する中空部が形成されており、この中空枠部の上端部に板面材が置かれてもよい。これによれば、上記中空枠部によって塞ぎ蓋としての所定の幅を確保しつつ、軽量化を図ることができる。
【００１５】
上記水受け部は、上記導水部側へ下り傾斜する傾斜面部を有してもよい。これによれば、上記水受け部から上記導水部側への水の流れを円滑にすることができる。
【発明の効果】
【００１６】
本発明であれば、竪樋の下から横方向に出す横排水管やこれを保護するガードパイプの建物周辺側へのはみ出し量を低減してデッドスペースを小さくできるという効果を奏する。
【図面の簡単な説明】
【００１７】
【図１】この発明の実施形態の建物の雨水処理構造の縦断面を示した説明図である。
【図２】図１の建物の雨水処理構造の外観を示した説明図である。
【図３】図１の建物の雨水処理構造で用いられた塞ぎ蓋を示した平面（上面）図、Ａ−Ａ矢視の概略の断面図、および下面図である。
【図４】図３に示した塞ぎ蓋のＢ−Ｂ矢視の概略図（背面）である。
【図５】図３に示した塞ぎ蓋および周囲コンクリートのＣ−Ｃ矢視の概略の断面図および同Ｄ−Ｄ矢視の概略図（側面）である。
【図６】従来の建物の雨水処理構造の縦断面を示した説明図である。
【発明を実施するための形態】
【００１８】
以下、この発明の実施形態を添付図面に基づいて説明する。図１および図２に示すように、この実施形態の雨水処理構造が適用される建物１においては、この建物１における地盤下の構造部である下部構造部１１と建物１の周辺側の地盤２との間に空間部３が形成されている。そして、この例では、上記下部構造部１１の下側には免振装置１２が設けられており、地震時に上記免振装置１２によって上記建物１が揺れたとしても、上記空間部３によって、上記下部構造部１１が周辺側の地盤２に接触するのを回避することができる。
【００１９】
また、上記建物１の周辺側の地盤２には、排水部２１が設けられている。この排水部２１は、縦管部２１ａと横管部２１ｂとからなる。上記縦管部２１ａの上端は地盤２の上面側で開口している。
【００２０】
一方、上記建物１の外周の柱１３の外側面には、建物上部で集めた雨水を下方に導く竪樋１４が設けられている。この例では、上記竪樋１４は１本の柱１３に２本設けられており、上記竪樋１４が配置される柱１３と柱１３の間には、上記竪樋１４が配置されない柱１３が存在するようにしている。また、上記竪樋１４の下部を保護するように、ガードパイプ１７が設置されている。
【００２１】
上記空間部３の上端側は、塞ぎ構造部となる塞ぎ蓋４によって塞がれており、建物１の下部構造部１１の上部（地上コンクリート側）から上記建物１の周辺側の地盤２のコンクリート上面にかけて略平坦な路面が形成されている。上記塞ぎ蓋４は、上記免振装置１２の作動による上記建物１の揺れとともに移動できるように設けられている。そして、上記塞ぎ蓋４により、上記竪樋１４から受け取った雨水が上記排水部２１に導かれるようにしている。上記竪樋１４の下部側には横排水管１４ａが設けられており、この横排水管１４ａの出口部は上記塞ぎ蓋４上に位置する。上記横排水管１４ａは上記塞ぎ蓋４には固定されない。
【００２２】
上記塞ぎ蓋４は、上記建物１の下部構造部１１側となる一端側に設けられた水受け部４１ａと、上記水受け部４１ａで受け取った上記竪樋１４からの雨水を、上記建物１の周辺側の地盤２の側となる他端側に導く導水部４１ｂと、上記他端側の下面に設けられた排水開口４１ｃと、を備える。上記導水部４１ｂは、上記他端側方向に下る水勾配を有していてもよい。なお、例えば、上記塞ぎ蓋４の幅は、例えば、１５００〜１７００ｍｍ程度とされ、流路方向の長さは１５００〜１７００ｍｍ程度とされ、高さは２００〜３００ｍｍ程度とされる。上記高さは、特に、塞ぎ蓋４に求める耐荷重を考慮して設定される。
【００２３】
上記塞ぎ蓋４は、図３および図４に示すように、鋼製の本体部４１を備えており、この本体部４１において、上記水受け部４１ａと上記導水部４１ｂと上記排水開口４１ｃとが形成される。また、上記水受け部４１ａ、導水部４１ｂおよび排水開口４１ｃは、上記竪樋１４が１本の柱１３に対して２本設けられることに対応して、２個ずつ互いに並行して設けられている。さらに、上記塞ぎ蓋４の本体部４１は、後述するように、形鋼、鋼板等で構成されることで、２０ｔ（２００ｋＮ：ダンプ、大型バス対応）以上、望ましくは２５ｔ（２５０ｋＮ：トレーラー、はしご付消防車対応）以上の荷重に耐える構造となっている。
【００２４】
上記本体部４１上には、上記の水受け部４１ａと導水部４１ｂと排水開口４１ｃによって形成される各流路の上部側を覆うように２枚の鋼製の網目状上面板（グレーチング等）４２が置かれる。この網目状上面板４２も、２０ｔ（２００ｋＮ）以上、望ましくは２５ｔ（２５０ｋＮ）以上の耐荷重を有する構造となっている。上記本体部４１と上記網目状上面板４２を別体物とすることにより、上記網目状上面板４２として市販物を用いて低コスト化を図ることができる。また、上記水受け部４１ａは、上記網目状上面板４２を通して、上記竪樋１４からの雨水を受け取ることができる。さらに、上記水受け部４１ａは、上記導水部４１ｂ側へ下り傾斜する傾斜面部によって形成されており、上記水受け部４１ａから上記導水部４１ｂ側への水の流れが円滑に行われるようになっている。
【００２５】
上記本体部４１の側縁部は、上記流路に平行に配置された溝形鋼４１１からなっている。各溝形鋼４１１は、その対向片部を上下に位置させ、開放側を外側に向けて配置されている。また、各溝形鋼４１１よりも内側の位置に溝形鋼４１２が間隔をおいて配置されている。この溝形鋼４１２も、その対向片部を上下に位置させ、開放側を外側に向けている。そして、隣り合う溝形鋼４１２間の下側に配置された鋼板およびその中間部に立てられた仕切りとなるＨ形鋼により、上記流路となる上記水受け部４１ａ等が形成される。また、上記溝形鋼４１２間の上側には、Ｌアングルや上記Ｈ形鋼のフランジ部からなる受け部４１３が形成されており、この受け部４１３によって上記網目状上面板４２が支持される。
【００２６】
また、上記溝形鋼４１１と溝形鋼４１２の間は、上下方向に貫通する開口が形成される。そして、上記溝形鋼４１１と溝形鋼４１２の間の上部側には、鋼板からなる多数の根太状部材４１４が上記水流の方向に間隔をおいて設けられており、これら溝形鋼４１１と溝形鋼４１２と根太状部材４１４とが溶接等されて相互に固定されている。そして、上記溝形鋼４１１と上記溝形鋼４１２の上側の対向面部および上記根太状部材４１４上には、これらによって支持される鋼製の板面材（チェッカープレート等）４３が置かれる。換言すれば、上記導水部４１ｂの側方には上下方向に貫通する中空枠部４１ｄが設けられており、この中空枠部４１ｄ上に鋼製の板面材４３が置かれる。上記中空枠部４１ｄにより、塞ぎ蓋４としての所定の幅を確保しつつ、塞ぎ蓋４の軽量化を図ることができる。
【００２７】
上記本体部４１における、上記流路の上流側となる端部には、鋼板４１５が上記流路と直交する配置で設けられている。この鋼板４１５は、上記溝形鋼４１１間に渡る長さを有しており、溶接等によって上記溝形鋼４１１および溝形鋼４１２等に固定される。また、上記本体部４１における、上記流路の下流側（排水開口４１ｃ側）の端部には、溝形鋼４１７がその開放側を外方に向けて設けられている。この溝形鋼４１７の下側の対向片部は、その一部がカットされている。そして、この溝形鋼４１７の開放側には、下辺部が外方側ほど昇り傾斜する三角状の多数の三角鋼鈑４１８が溶接等によって上記溝形鋼４１７に固定されている。また、三角鋼鈑４１８の上側辺部は水平とされており、この上側辺部上にも鋼製の板面材（チェッカープレート等）４４が置かれるようになっている。
【００２８】
また、図５にも示すように、上記溝形鋼４１１における上記流路の上流側の上側の対向片部には、ボルト７１によって連結板４５の一端側が固定される。そして、上記連結板４５の他端側は、ボルト７２によって上記建物１の側のコンクリート部の角上面に固定される。上記連結板４５により、上述したように、上記塞ぎ蓋４は上記免振装置１２の作動によって上記建物１の揺れに追従して移動する。
【００２９】
上記の雨水処理構造であれば、上記空間部３の上端側を塞ぐ塞ぎ蓋（塞ぎ構造部）４によって、上記竪樋１４から受け取った雨水を上記排水部２１に導くことができる。このため、雨水を上記竪樋１４の下から横方向に出すために設けられる横排水管１４ａは、上記空間部３を越えて突き出る必要がなくなり、この横排水管１４ａの突出長さを短くできる。したがって、上記横排水管１４ａやこれを保護するガードパイプ１７の建物周辺側へのはみ出し幅を低減でき、デッドスペースを少なくし、車両等の走行の阻害の程度も小さくできる。
【００３０】
上記塞ぎ蓋が２０トン以上、望ましくは２５トン以上の荷重に耐えるように構成されていると、トラックやフォークリフト等の重量のある車両でも上記塞ぎ蓋４（塞ぎ構造部）上を通ることができる。
【００３１】
上記竪樋１４が上記建物１の外周側の１本の柱１３に複数本設けられており、上記竪樋１４が配置される柱１３と柱１３の間に上記竪樋１４が配置されない柱が存在すると、上記竪樋１４が配置されない柱１３を利用して、例えば、消火栓設備８等を配置すること等が可能になる。
【００３２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３３】
１      ：建物
２      ：建物の周辺側の地盤
３      ：空間部
４      ：塞ぎ蓋
８      ：消火栓設備
１１    ：下部構造部
１２    ：免振装置
１３    ：柱
１４    ：竪樋
１４ａ  ：横排水管
１７    ：ガードパイプ
２１    ：排水部
２１ａ  ：縦管部
２１ｂ  ：横管部
４１    ：本体部
４１ａ  ：水受け部
４１ｂ  ：導水部
４１ｃ  ：排水開口
４１ｄ  ：中空枠部
４２    ：網目状上面板
４３    ：板面材
４４    ：板面材
４５    ：連結板
７１    ：ボルト
７２    ：ボルト
４１１  ：溝形鋼
４１２  ：溝形鋼
４１３  ：受け部
４１４  ：根太状部材
４１５  ：鋼板
４１７  ：溝形鋼
４１８  ：三角鋼鈑
【図１】
2019167694.tif 000003
【図２】
2019167694.tif 000004
【図３】
2019167694.tif 000005
【図４】
2019167694.tif 000006
【図５】
2019167694.tif 000007
【図６】
2019167694.tif 000008